(57)【要約】【課題】奥行き方向の入力操作を検出できるようにする。【解決手段】液晶ディスプレイ１４を有する表示部１１Ａと回動自在に結合されている本体１１Ｂにはパネル１５が設けられる。パネル１５の内部には、複数の発光部と受光部が設けられており、発光部は赤外線をパネル１５と垂直に外部に出射し、受光部はユーザの指で反射された赤外線を受光する。反射光を受光する受光部の位置の変化から指の位置の変化が検出される。反射光が一旦検知された後、検知されなくなり、再び検知されたとき、指が奥行き方向に操作（クリック操作）されたものとされる。本発明は、携帯電話機に適用することができる。【選択図】      図１
2004227365.tif 000002
【特許請求の範囲】
【請求項１】
画像を表示する画像表示手段と、
操作面とほぼ垂直な方向に赤外線を出射する出射手段と、
対象物により反射された赤外線を受光する受光手段と、
前記受光手段によって受光された赤外線の位置に基づいて、前記対象物の位置を検出する検出手段と、
前記対象物の位置に基づいて、前記画像表示手段における画像の表示を制御する制御手段と
を備えることを特徴とする光学式入力装置。
【請求項２】
前記出射手段は、前記赤外線を、所定の周期で出射する
ことを特徴とする請求項１に記載の光学式入力装置。
【請求項３】
前記対象物が接近したか否かを判定する接近判定手段をさらに備え、
前記出射手段は、前記対象物が接近したと判定された場合、赤外線を第１の光量に設定し、前記対象物が接近していないと判定された場合、赤外線を第２の光量に設定する
ことを特徴とする請求項１に記載の光学式入力装置。
【請求項４】
反射光の受光が一旦中断した後、前記反射光が再び受光されたか否かを判定する中断判定手段と、
前記反射光の受光が一旦中断した後、再び受光されたと判定された場合、前記画像表示手段によって表示されているカーソルが指示しているアイコンを選択するアイコン選択手段と
をさらに備えることを特徴とする請求項１に記載の光学式入力装置。
【請求項５】
前記出射手段より出射された赤外線を透過して前記対象物に照射させるとともに、前記対象物からの反射光を透過して前記受光手段に受光させる、前記画像表示手段とは異なる位置に配置された透光手段をさらに備える
ことを特徴とする請求項１に記載の光学式入力装置。
【請求項６】
請求項１に記載の光学式入力装置を備える
ことを特徴とする携帯端末。
【請求項７】
請求項１に記載の光学式入力装置を備える
ことを特徴とする情報処理装置。
【請求項８】
光学式入力装置の光学式入力方法において、
操作面とほぼ垂直な方向に赤外線を出射し、
対象物により反射された赤外線を受光し、
受光された赤外線の位置に基づいて、前記対象物の位置を検出し、
前記対象物の位置に基づいて、画像の表示を制御する
ことを特徴とする光学式入力方法。
【発明の詳細な説明】
【０００１】
【発明の属する技術分野】
本発明は光学式入力装置および方法に関し、特に、直接指を接触させることなく入力ができるようにした光学式入力装置および方法に関する。
【０００２】
【従来の技術】
携帯電話機においては、電話番号、文字などを入力するために、キー（ボタン）が用意されている。ユーザは、数字や文字を入力する場合、その数字や文字が割り当てられたキーを操作する。
【０００３】
また、このようなキーでは、任意の位置を示すことが困難となる。そこで、例えば表示部に表示されているカーソルを移動させる場合、上下左右の方向が割り当てられたキーが用意され、ユーザはそのキーを操作して、カーソルを上下左右方向に移動させる。
【０００４】
しかしながら、このようなキーでは、微妙な位置を指定することができない。その結果、任意の図形や手書き文字を入力することができない。
【０００５】
そこで、表示部の前面に位置（座標）検出機能を有するタブレットを設け、タブレットを指またはペンで触れることで、図形や手書き文字を入力することができるようにしたものがある。
【０００６】
また、特許文献１には、コンピュータのディスプレイの前面に入力装置を配置し、入力装置の上下左右の４辺上の複数の位置から対向する辺の方向に光を出射し、対向する辺上に配置した受光部でこの光を受光し、光が遮られて受光できなかったとき、その位置（座標）に入力があったとして検出することが提案されている。
【０００７】
【特許文献１】
特表２００１−５１４７７９号公報
【０００８】
【発明が解決しようとする課題】
しかしながら、タブレットを用いた場合、指やペンでタブレットを直接触れる必要があるため、タブレットが指の脂などで汚れ、表示部の画像が見難くなる課題があった。
【０００９】
また、特許文献１の技術の場合、平面内の位置は検出することができるが、面と垂直な方向（奥行き方向）の操作は検出できず、所謂クリックのような操作は利用できない課題があった。
【００１０】
本発明はこのような状況に鑑みてなされたものであり、表示部の表示が見難くなるのを防止しつつ、平面内の任意の座標位置の入力操作と、奥行き方向の入力操作を検出することができるようにするものである。
【００１１】
【課題を解決するための手段】
本発明の光学式入力装置は、画像を表示する画像表示手段と、操作面とほぼ垂直な方向に赤外線を出射する出射手段と、対象物により反射された赤外線を受光する受光手段と、受光手段によって受光された赤外線の位置に基づいて、対象物の位置を検出する検出手段と、対象物の位置に基づいて、画像表示手段における画像の表示を制御する制御手段とを備えることを特徴とする。
【００１２】
出射手段は、赤外線を、所定の周期で出射することができる。
【００１３】
対象物が接近したか否かを判定する接近判定手段をさらに備え、出射手段は、対象物が接近したと判定された場合、赤外線を第１の光量に設定し、対象物が接近していないと判定された場合、赤外線を第２の光量に設定することができる。
【００１４】
反射光の受光が一旦中断した後、再び受光されたか否かを判定する中断判定手段と、反射光の受光が一旦中断した後、反射光が再び受光されたと判定された場合、画像表示手段によって表示されているカーソルが指示しているアイコンを選択するアイコン選択手段とをさらに備えることができる。
【００１５】
出射手段より出射された赤外線を透過して対象物に照射させるとともに、対象物からの反射光を透過して受光手段に受光させる、画像表示手段とは異なる位置に配置された透光手段をさらに備えることができる。
【００１６】
本発明の携帯端末は、請求項１に記載の光学式入力装置を備えることを特徴とする。
【００１７】
本発明の情報処理装置は、請求項１に記載の光学式入力装置を備えることを特徴とする。
【００１８】
本発明の光学式入力方法は、操作面とほぼ垂直な方向に赤外線を出射し、対象物により反射された赤外線を受光し、受光された赤外線の位置に基づいて、対象物の位置を検出し、対象物の位置に基づいて、画像の表示を制御することを特徴とする。
【００１９】
本発明においては、赤外線が操作面と垂直な方向に出射され、対象物により反射された赤外線が受光され、その位置から対象物の位置が検出される。
【００２０】
【発明の実施の形態】
以下、図を参照して、本発明の実施の形態について説明する。
【００２１】
図１は、本発明を適用した携帯電話機１の外観の構成例を示す図である。
【００２２】
図１に示されるように、携帯電話機１は、表示部１１Ａおよび本体１１Ｂで構成され、両者は、中央のヒンジ部１２により折り畳み可能に結合されている。
【００２３】
表示部１１Ａは、上端左部に、引出しまたは収納可能な送受信用のアンテナ１９を有する。携帯電話機１は、アンテナ１９を介して、最寄りの基地局と通信し、相手側との通話を可能にする。
【００２４】
表示部１１Ａの中央に液晶ディスプレイ１４が設けられている。液晶ディスプレイ１４の左側には、縦１列に各種のプログラムを起動させるときに選択されるアイコン１７が表示され、液晶ディスプレイ１４の下部のタスクバー１８にも横１列に各種のプログラムを起動させるときに選択される各種アイコンが表示されている。また、液晶ディスプレイ１４の所定の位置（図１の例の場合、上部中央）には、各種アイコンを指示するためのカーソル１６が表示されている。
【００２５】
また、表示部１１Ａの上部中央にはスピーカ２１が設けられている。携帯電話機１は、スピーカ２１によって通話相手の音声を出力する。
【００２６】
一方、本体１１Ｂには、その表面に「０」乃至「９」の数字キー、発呼キー、リダイヤルキー、終話および電源キー、クリアキーおよび電子メールキー等からなる操作部１３が設けられている。操作部１３の操作に対応した各種指示が、携帯電話機１に入力される。
【００２７】
また、本体１１Ｂの操作部１３の下部には、マイクロフォン２０が設けられている。携帯電話機１は、マイクロフォン２０によって通話時のユーザの音声を集音する。
【００２８】
さらに、本体１１Ｂの操作部１３の上部には、光を透過する半透明なパネル１５が設けられている。ユーザは、パネル１５の上部で接触あるいは非接触により指を移動することによって所定の入力を行う。その移動操作により、ユーザは、液晶ディスプレイ１４に表示されているカーソル１６を移動させたり、通常のマウスにおけるクリックと同じ動作をさせることができる。カーソルの移動およびクリックの操作については、図６および図７を参照して後述する。
【００２９】
なお、本体１１Ｂは、背面側に図示せぬバッテリ１２１が装着されており、終話／電源キーがオン状態になると、バッテリ１２１から各部に対して電力が供給されて使用可能な状態になる。
【００３０】
また、ヒンジ部１２の内部には角度センサ１０８（図３）が設けられており、表示部１１Ａと本体１１Ｂとのなす角度を検出する。したがって、表示部１１Ａと本体１１Ｂとのなす角度が所定の角度（例えば、３０度）未満である場合（実質的に携帯電話機１が折り畳まれている状態の場合）、バッテリ１２１から各部に対する電力の供給が中止され、所定の角度以上である場合（実質的に携帯電話機１が開かれ、使用状態にある場合）、バッテリ１２１から各部に対して電力が供給される。
【００３１】
パネル１５の下部（本体１１Ｂの内部）には、図２に示されるように、複数の発光部６１−１乃至６１−３、並びにそれらと対になる受光部６２−１乃至６２−３が設けられている。図２には、３対の発光部と受光部が示されているが、実際には、これらは、パネル１５の下面と平行に、ｍ×ｎ（ｍとｎは任意の整数）対が、マトリックス状に配置されている。
【００３２】
パネル１５は、光を透過する半透明な物質、例えば、ガラスやアクリル製の板状の部材５１により構成される。部材５１の下部に設けられた発光部６１−１乃至６１−３は、それぞれ赤外線を、操作面としてのパネル１５の表面に対して、ほぼ垂直な方向に出射する。この赤外線は、部材５１を透過して外部に出射される。部材５１の近傍に物体が存在するとき、赤外線はその物体で反射される。物体によって反射された赤外線は、再び、部材５１を透過し、受光部６２−１乃至６２−３によって受光される。物体が部材５１の近傍に存在しないとき、赤外線は反射されないので、受光部６２−１乃至６２−３は、赤外線を受光しない。例えば、図２に示されるように、発光部６１−２が出射した赤外線の光路上に指７１が存在するとき、指７１で反射された赤外線が、対応する受光部６２−２により受光される。
【００３３】
発光部６１−ｉ（ｉ＝１，２，３）は、十分鋭い指向性の赤外線を発生する。したがって、発光部６１−ｉ（ｉ＝１，２，３）が発生した赤外線が、対応しない受光部６２−ｊ（ｊ＝１，２，３、但し、ｊ≠ｉ）により受光されるのが防止される。
【００３４】
図３は、図１の携帯電話機１の内部の電気的構成例を表すブロック図である。
【００３５】
マイクロホン２０より入力された音声信号は、入出力インターフェイス１０７によりデジタル音声信号に圧縮変換された後、内部バス１０６を介して通信部１０５に供給され、通信部１０５により変調され、アンテナ１９を介して送信される。また、最寄りの基地局から送信されてきたデジタル音声信号は、アンテナ１９を介して通信部１０５により受信され、復調された後、内部バス１０６を介して、入出力インターフェイス１０７に入力され、そこでアナログ信号に変換されてスピーカ２１から出力される。
【００３６】
ユーザは、操作部１３の「０」乃至「９」の数字キー、発呼キー、リダイヤルキー、終話および電源キー、クリアキーおよび電子メールキー等を操作することにより、各種キーに対応する指示を入力する。この操作に対応する信号は、ＣＰＵ１０１に入力される。
【００３７】
角度センサ１０８は、表示部１１Ａと本体１１Ｂとのなす角度を検出し、入出力インターフェイス１０７、および内部バス１０６を介して、ＣＰＵ１０１に通知する。ＣＰＵ１０１は、通知された角度に基づいて駆動検出部１０９を制御し、発光部６１−１乃至６１−３（以下、これらを個々に区別する必要がない場合、まとめて発光部６１と記述する）から光を出射させるか、または発光を停止させる。例えば、角度センサ１０８が検出した角度が３０度未満である場合、すなわち、携帯電話機１が折り畳まれており、実質的に非使用状態の場合には、ＣＰＵ１０１は駆動検出部１０９を制御し、発光部６１を光を出射させないように制御し、角度センサ１０８が検出した角度が３０度以上である場合、すなわち、携帯電話機１が開かれ、実質的に使用状態である場合には、ＣＰＵ１０１は駆動検出部１０９を制御し、発光部６１に光を出射させる。
【００３８】
受光部６２−１乃至６２−３（以下、これらを個々に区別する必要がないとき、まとめて受光部６２と記述する）は、ユーザの指等によって反射された赤外線を受光し、受光信号を駆動検出部１０９に出力する。駆動検出部１０９は、受光信号を出力した受光部の位置を検出し、検出結果をＣＰＵ１０１に通知する。
【００３９】
ＣＰＵ１０１は、ＲＡＭ（Ｒａｎｄｏｍ  Ａｃｃｅｓｓ  Ｍｅｍｏｒｙ）１０３にロードされたプログラムに従って、各処理を実行する。ＲＡＭ１０３にはまた、ＣＰＵ１０１が各種の処理を実行する上で必要なプログラムやデータが適宜記憶される。ＲＯＭ（Ｒｅａｄ  Ｏｎｌｙ  Ｍｅｍｏｒｙ）１０２には、基礎的なプログラムやデータが記憶される。ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）１０４は、携帯電話機１の電源をオフした後も保持する必要があるデータ等を記憶する。
【００４０】
携帯電話機１の機能的構成は、図４に示されるようになる。
【００４１】
使用状態判定部２０１は、携帯電話機１の表示部１１Ａと本体１１Ｂとのなす角度が、所定の角度（例えば、３０度）未満である（実質的に携帯電話機１が折り畳まれている非使用状態である）のか、所定の角度以上である（実質的に携帯電話機１が開かれ、使用状態にある）のかを判定し、判定結果を光量制御部２０２に通知する。
【００４２】
受光判定部２０３は、受光部６２がユーザの指等によって反射された赤外線を受光したか否かを判定し、判定結果を光量制御部２０２、位置変化検出部２０４、および中断検出部２０６に通知する。
【００４３】
光量制御部２０２は、使用状態判定部２０１からの通知に基づき、駆動検出部１０９を制御し、発光部６１から光を出射させるか、または発光を停止させる。例えば、携帯電話機１が折り畳まれており、実質的に非使用状態の場合には、発光部６１は光を出射させないように制御され、携帯電話機１が開かれ、実質的に使用状態である場合には、発光部６１は光を第１の光量で出射させるように制御される。また、受光判定部２０３からの通知に基づき、受光部６２がユーザの指等によって反射された赤外線を受光したと判定された場合、光量制御部２０２は、駆動検出部１０９を制御し、発光部６１に光を第２の光量で出射させる。
【００４４】
位置変化検出部２０４は、受光判定部２０３から、受光部６２がユーザの指等によって反射された赤外線を受光したという通知を受信した場合、さらに反射光を受光する受光部６２の位置が変化したか否かを判定し、判定結果をカーソル移動制御部２０５に通知する。
【００４５】
カーソル移動制御部２０５は、位置変化検出部２０４からの、反射光を受光した受光部６２の位置の変化を表す信号に基づいて、液晶ディスプレイ１４上に表示されているカーソル１６を移動させる。
【００４６】
中断検出部２０６は、受光判定部２０３から、受光部６２がユーザの指等によって反射された赤外線を受光したという通知を受信した場合、さらに受光部６２が反射光の受光を中断したか否かを判定し、判定結果を再受光検出部２０７に通知する。
【００４７】
再受光検出部２０７は、中断検出部２０６から、受光部６２が反射光の受光を中断したという通知を受信した場合、受光部６２が、その後、再び反射光を受光したか否かを判定し、判定結果をカーソル位置判定部２０８に通知する。
【００４８】
カーソル位置判定部２０８は、再受光検出部２０７から、受光部６２が再び反射光を受光したという通知を受信した場合、液晶ディスプレイ１４上に表示されているカーソル１６が、各種アイコン上にあるか否かを判定し、判定結果をアイコン選択部２０９に通知する。
【００４９】
アイコン選択部２０９は、カーソル位置判定部２０８から、カーソル１６がアイコン上にあるという通知を受信した場合、カーソル１６が指示しているアイコンを選択する。
【００５０】
次に、図５を参照して、携帯電話機１による光量制御処理について説明する。
【００５１】
ステップＳ１１において、使用状態判定部２０１は、表示部１１Ａは開いているか否かを判定する。すなわち、角度センサ１０８は、表示部１１Ａと本体１１Ｂとのなす角度を検出し、使用状態判定部２０１に通知している。角度センサ１０８が検出した角度が３０度以上の場合、表示部１１Ａは開いていると判定される。
【００５２】
ステップＳ１１において、表示部１１Ａは開いていないと判定された場合、ステップＳ１５において、光量制御部２０２は、駆動検出部１０９を介して発光部６１を制御し、光を出射させないようにする。これにより、非使用時にバッテリ１２１の電力が無駄に使用されるのが抑制される。処理は、その後、ステップＳ１１に戻る。
【００５３】
ステップＳ１１において、表示部１１Ａは開いていると判定された場合（検出角度が３０度以上の場合）、ステップＳ１２において、光量制御部２０２は、駆動検出部１０９を介して発光部６１を制御し、出射される光量を第１の光量に設定する。この第１の光量は、後述するステップＳ１４で設定される第２の光量より小さい値とされている。これによっても、無駄な電力の消費が抑制される。また、パネル１５から遠く離れた位置にある物体（ユーザの指以外の物体）により反射された赤外線が受光部６２により受光され、誤作動が発生するのが抑制される。また、このとき赤外線は、例えば、１秒間に１０００回といった一定の周期で、間欠的に出射される。
【００５４】
ステップＳ１３において、受光判定部２０３は、受光部６２からの通知に基づいて、受光部６２が、発光部６１から出射され、指等によって反射された赤外線が受光されたか否かを判定する。
【００５５】
ステップＳ１３において、受光判定部２０３が、受光部６２が、反射光を受光したと判定した場合、すなわち、パネル１５の上部に指等が近づいてきたと判定した場合、ステップＳ１４において、光量制御部２０２は、駆動検出部１０９を介して発光部６１を制御し、出射される光量を第２の光量に設定させる。第２の光量は、第１の光量より大きい。したがって、パネル１５の上部に指等が近づいてきた場合のみ強い光量が出射され、指等が近づいていない場合には弱い光量が出射されるので、上述したように、電力消費を抑制することができる。また、指のより正確な検出が可能となる。ステップＳ１３において、受光部６２が、反射光を受光していないと判定された場合、およびステップＳ１４の処理の後、処理はステップＳ１１に戻る。
【００５６】
次に、図６と図７を参照して、携帯電話機１による操作検知処理について説明する。
【００５７】
ステップＳ２１において、受光判定部２０３が、受光部６２からの通知に基づいて、受光部６２が、発光部６１から出射された赤外線の反射光を受光したか否かを判定する。反射光が受光されていない場合、受光されるまでステップＳ２１の処理が繰り返される。
【００５８】
ステップＳ２１において、受光判定部２０３は、受光部６２が、反射光を受光したと判定した場合、すなわち、パネル１５の上部に指等が近づいてきたと判定した場合、ステップＳ２２において、位置変化検出部２０４は、反射光を受光する受光部６２の位置が変化したか否かを判定する。
【００５９】
例えば、図８に示されるように、パネル１５の上部に位置する指が、指７１Ａとして示される位置から、指７１Ｂとして示される位置に、パネル１５の操作面とほぼ平行に移動したような場合、反射された赤外線を受光する受光部が、受光部６２−２から受光部６２−３に変化する。駆動検出部１０９は、受光部６２−１乃至６２−３のうちどれが反射光を受光しているのかを検出し、その検出結果を位置変化検出部２０４に通知する。位置変化検出部２０４は、この通知に基づいて、ステップＳ２２の判定を行う。
【００６０】
ステップＳ２２において、反射光を受光する受光部６２の位置が変化したと判定された場合、ステップＳ２３において、カーソル移動制御部２０５は、通知された結果に基づいて、液晶ディスプレイ１４上の所定の位置に表示されているカーソル１６を、通知の結果に対応する位置に移動させる。その後、処理は、ステップＳ２１に戻る。
【００６１】
このようにして、ユーザは、自分自身の指７１をパネル１５上で所望の位置に平行移動させることで、カーソル１６を移動させることができる。指７１は、液晶ディスプレイ１４とは異なる位置に配置されているパネル１５上で移動、操作されるので、液晶ディスプレイ１４に表示されている画像が、自分自身の指７１で見難くなるようなことが防止される。
【００６２】
ステップＳ２２において、反射光を受光する受光部６２の位置が変化していないと判定された場合、処理はステップＳ２４に進み、クリック処理が実行される。
【００６３】
このクリック処理の詳細が図７に示されている。
【００６４】
ステップＳ４１において、中断検出部２０６は、受光部６２からの通知に基づいて、受光部６２が、ステップＳ２１の処理で反射光を受光したと判定された後、反射光の受光を中断したか否かを判定する。
【００６５】
ステップＳ４１において、中断検出部２０６は、受光部６２が、反射光の受光を中断したと判定した場合、すなわち、指等がパネル１５の上部に一旦近づいた後、再び、離れたと判定された場合、ステップＳ４２において、再受光検出部２０７は、受光部６２が再び反射光を受光したか否かを判定する。ステップＳ２１、Ｓ４１、Ｓ４２の処理は、例えば、図９に示されるように、ステップＳ２１において、指７１Ｂとして示される位置にあると判定された指が、ステップＳ４１において、指７１Ａとして示される位置に移動し、ステップＳ４２において、再び指７１Ｂとして示される位置に戻るクリック操作（操作面（パネル１５の面）に対してほぼ垂直な方向（奥行き方向）の操作）を検出する処理である。
【００６６】
ステップＳ４２において、再受光検出部２０７は、受光部６２が再び反射光を受光したと判定した場合、ステップＳ４３において、カーソル位置判定部２０８は、液晶ディスプレイ１４上に表示されているカーソル１６が、液晶ディスプレイ１４に表示されているアイコン（液晶ディスプレイ１４の左部に縦１列に表示されているアイコン１７、または液晶ディスプレイ１４の下部のタスクバー１８に横１列に表示されている各種アイコン）上に位置するか否かを判定する。
【００６７】
ステップＳ４３において、カーソル１６が、所定のアイコン上に位置すると判定された場合、ステップＳ４４において、アイコン選択部２０９は、カーソル１６が指示しているアイコンを選択する処理を実行する。例えば、選択されたアイコンがアプリケーションプログラムに対応している場合、そのアプリケーションプログラムが起動される。
【００６８】
ステップＳ４１において、中断検出部２０６が、反射光の受光が中断されていないと判定した場合、ステップＳ４２において、再受光検出部２０７が、再び反射光が受光されていないと判定した場合、およびステップＳ４３において、カーソル位置判定部２０８が、カーソル１６が、アイコン上に位置していないと判定した場合、処理は図６のステップＳ２１に戻り、それ以降の処理が繰り返し実行される。
【００６９】
以上のように、指を直接、接触させることなく画面上に表示されたカーソルを移動させることができるので、接触式のタッチパネルのように、操作する際に、操作部に操作者の汗等の汚れが付着したり、表示部の画像が見難くなることを防ぐことができる。また、仮に、汚れが付着したとしても、パネル１５は、液晶ディスプレイ１４とは異なる位置に設けられているので、液晶ディスプレイ１４上の表示画像が見難くなることはない。
【００７０】
なお、以上においては、カーソルの移動とクリックの操作を検出するようにしたが、本発明は、任意の形状の線、手書き文字入力等の操作を検出する場合にも適用することができる。
【００７１】
また、以上においては、携帯電話機を例としたが、本発明は携帯電話機に限らず、例えば、ＰＤＡ（Ｐｅｒｓｏｎａｌ  Ｄｉｇｉｔａｌ  Ａｓｓｉｓｔａｎｔｓ）その他の携帯端末、あるいは、パーソナルコンピュータ等の情報処理装置にも適用することができる。
【００７２】
本明細書において、記録媒体に記録されるプログラムを記述するステップは、記載された順序に沿って時系列的に行われる処理はもちろん、必ずしも時系列的に処理されなくとも、並列的あるいは個別に実行される処理をも含むものである。
【００７３】
【発明の効果】
本発明によれば、表示部の表示を見難くすることなく、入力操作を検出することができる。特に、平面内の任意の座標位置の入力操作と、奥行き方向の入力操作を検出することができる。
【図面の簡単な説明】
【図１】本発明を適用した携帯電話機の外観の構成例を示す斜視図である。
【図２】図１の携帯電話機のパネルの部分の構成を示す断面図である。
【図３】図１の携帯電話機の内部の電気的構成例を示すブロック図である。
【図４】図１の携帯電話機の機能を説明するブロック図である。
【図５】図１の携帯電話機による光量制御処理を説明するフローチャートである。
【図６】図１の携帯電話機による操作検知処理を説明するフローチャートである。
【図７】図６のステップＳ２４のクリック処理を説明するフローチャートである。
【図８】パネル上で平行に指が移動する様子を説明するための図である。
【図９】パネル上で垂直方向に指が移動する様子を説明するための図である。
【符号の説明】
１  携帯電話機，  １４  液晶ディスプレイ，  １５  パネル，  ６１−１乃至６１−３  発光部，  ６２−１乃至６２−３  受光部，  １０１  ＣＰＵ，  １０８  角度センサ，  １０９  駆動検出部
【図１】
2004227365.tif 000003
【図２】
2004227365.tif 000004
【図３】
2004227365.tif 000005
【図４】
2004227365.tif 000006
【図５】
2004227365.tif 000007
【図６】
2004227365.tif 000008
【図７】
2004227365.tif 000009
【図８】
2004227365.tif 000010
【図９】
2004227365.tif 000011